(57)【要約】【課題】室内ユニットの風向変更用上下羽根の可動部分が障害物（例えば、カ−テンボックス）に接触干渉しない据え付け位置設定を適確に実施すること。【解決手段】室内ユニットの風向変更用上下羽根など可動部分の軌跡を含み室内ユニットの奥行断面方向実寸大の最外郭形状を型紙として壁面に垂直にあてがうことにより、壁面より離れた位置にある室内ユニットの風向変更用上下羽根が、動作可動時においても、例えばカ−テンボックスなどが接触干渉しないかを容易に確認でき、スム−ス且つ適確な据え付けができるものである。【選択図】図２
2008190750.tif 000002
【特許請求の範囲】
【請求項１】
運転時、室内ユニットの外郭より突出して可動する可動部の軌跡を含む室内ユニットの奥行方向断面状実寸大の最外郭形状を持ち、前記室内ユニット運転時に前記可動部が周囲の構造物等に接触干渉するか否かを確認する形状を具備することを特徴とする分離形空気調和機の据付装置。
【請求項２】
型紙には室内ユニットと前記室内ユニットの上方の天井面との最低必要サ−ビス作業スペ−ス量分を含んだ最外郭形状型紙としたことを特徴とする請求項１に記載の分離型空気調和機の据付装置。
【請求項３】
型紙には印刷または切欠き形状または段差で室内ユニット取付け用据付板上端面位置を明記したことを特徴とする請求項１に記載の分離型空気調和機の据付装置。
【請求項４】
型紙には印刷または切欠き形状または段差で配管穴中心位置を明記したことを特徴とする請求項１に記載の分離型空気調和機の据付装置。
【請求項５】
型紙に室内ユニットと前記室内ユニットの上方の天井面との最低必要サ−ビス作業スペ−ス量分を盛り込んだ最外郭形状型紙は、和室天井側にある回り縁を避ける段差を設けた型紙とした請求項２記載の分離方空気調和機の据付装置。
【発明の詳細な説明】
【技術分野】
【０００１】
本発明は、風向変更用上下羽根など可動部分の軌跡を含む室内ユニットの奥行方向断面状実寸大の実寸大最外郭形状を型紙として、室内ユニットの運転時に前記室内ユニットの外郭より突出する可動部分が周囲の構造物に干渉しないことを据え付け位置設定段階で確認し、よりスム−ス且つ適確な室内ユニットの据え付けを実現、提供するものである。
【背景技術】
【０００２】
従来、分離型空気調和機の室内ユニットを壁面等に据え付ける作業を容易にするために、室内ユニットの正面投影実寸大の室内ユニット据付型紙を使用している。
【０００３】
当該型紙には配管抜き穴位置等室内ユニットを据え付けるために必要な情報が書き込まれ、型紙により左右の壁面や天井までの必要サ−ビス作業スペ−スを含めて確認し、室内ユニット位置を決める。
【０００４】
続いて、その型紙に書かれている目印に従って壁面の配管穴抜きや据付板固定を行い、更には据付説明書に従って室内外ユニットを据え付ける（例えば、特許文献１および特許文献２参照）。
【０００５】
図７は、特許文献１に記載された従来の正面投影実寸大の室内ユニット据付型紙を示すものである。図７に示すように、室内ユニット据付型紙７には、据付板９や配管貫通穴位置１０を正面投影実寸大の室内ユニットと併せて表示し、その他に天井や壁までの必要スペ−ス寸法などを記載表示している。
【特許文献１】実公昭６２−１５７０２号公報
【特許文献２】実開平０４−４６６３８号公報
【発明の開示】
【発明が解決しようとする課題】
【０００６】
しかしながら、前記従来の正面投影実寸大の室内ユニット型紙の構成は、室内ユニットを据付ける壁面上での平面的据え付け位置を決定するためのものであり、壁面より離れ当該壁面上でない位置にある障害物（例えば、カ−テンボックス）に、室内ユニットの風向変更用上下羽根の可動部分が接触干渉しないように据え付けることが適確に出来難いという課題を有していた。
【０００７】
本発明は、前記従来の課題を解決するもので、運転時に室内ユニットの外郭より突出する可動部分が接触干渉する障害物がないことを据え付け位置設定段階で確認し、よりスム−ス且つ適確な室内ユニットの据え付けを実現、提供することを目的とする。
【課題を解決するための手段】
【０００８】
前記従来の課題を解決するために、本発明の据付装置は、風向変更用上下羽根など可動部分の軌跡を含み室内ユニットの奥行断面方向実寸大の最外郭形状型紙を使用するものである。
【０００９】
これによって、従来の正面投影実寸大の室内ユニット型紙で壁面へ平面的据え付け決定位置に壁垂直にこの型紙をあてがうだけで、壁面より離れた位置にある室内ユニットの風向変更用上下羽根の可動部分が障害物（例えば、カ−テンボックス）に接触干渉しないかを確認できる。
【発明の効果】
【００１０】
本発明の室内ユニットの奥行方向断面状実寸大の最外郭形状型紙は、風向変更用上下羽根の可動軌跡を含む型紙としているため、従来の平面（二次元）的な室内ユニット据え付け位置決定方法では見極め難かった、壁面より離れ当該壁面上でない位置にある構造物（例えば、カ−テンボックス）に、室内ユニットの風向変更用上下羽根がたとえ動作時においても接触干渉するか否かを容易に確認でき、スムース且つ適確な室内ユニットの据え付けを実施することができる。
【発明を実施するための最良の形態】
【００１１】
第１の発明は、運転時、室内ユニットの外郭より突出して可動する可動部の軌跡を含む室内ユニットの奥行方向断面状実寸大の最外郭形状を持ち、前記室内ユニット運転時に前記可動部が周囲の構造物等に接触干渉するか否かを確認する形状を具備する型紙であり、これを壁面に垂直にあてがうことにより、室内ユニット運転時に可動部がカ−テンボックスなどに接触干渉するなど可動に障害が発生しない据え付け空間を確保できる場所かを確認でき、よりスムースな且つ適確な室内ユニットの据え付けを実施できる。
【００１２】
第２の発明は、第１の発明の型紙に室内ユニットと前記室内ユニットの上方の天井面との最低必要サ−ビス作業スペ−ス量分を含んだ型紙としたもので、この構成をなすことにより、従来の室内ユニットの正面投影実寸大の室内ユニット据付型紙または据付説明書で記載スペース量についてメジャーを当てて測定するなどの必要がなく、この型紙の上方突起形状部を天井面に接触させながら壁面に垂直にあてがうことにより、室内ユニットを取り付けられる部分かを判断することができる。特に窓上方の壁など、一見狭い場所に取り付けたいときに据え付け可否判断を適確に実施できる。
【００１３】
第３の発明は、第１の発明の型紙に印刷または切欠き形状または段差で室内ユニット取付け用据付板上端面位置を明記したもので、この構成をなすことにより、据付板上端位置基準で室内ユニット据え付け可否判断を適確に実施できる。
【００１４】
第４の発明は、第１の発明の型紙に印刷または切欠き形状または段差で配管穴中心位置を明記したもので、この構成をなすことにより、既存の配管穴を流用しての室内ユニット据え付け可否判断を適確に且つすばやく実施できる。
【００１５】
第５の発明は、第２の発明の室内ユニットと前記室内ユニットの上方の天井面との最低必要サ−ビス作業スペ−ス量分を盛り込んだ最外郭形状型紙は、和室天井側にある回り縁を避ける段差を設けたもので、この構成をなすことにより、洋室だけでなく、和室壁へ室内ユニット取り付けの場合の据え付け可否判断時にも使用しやすくなる。
【００１６】
以下、本発明の実施の形態について、図面を参照しながら説明する。なお、この実施の形態によって本発明が限定されるものではない。
【００１７】
（実施の形態１）
図１は、室内ユニットの据え付け状態概略斜視図である。
同図に示すように、運転動作時には風向変更用上下羽根２が室内ユニット１の最外郭形状よりも突出した位置で可動するため、室内ユニットが正常に運転動作させるためには据え付け位置の決定段階で、風向変更用上下羽根２がカーテン４のカーテンボックス３などに接触干渉しないことを確認して室内ユニットを据え付ける必要がある。
【００１８】
次に図２は、本願発明にかかる室内ユニットの奥行方向断面状実寸大の最外郭形状型紙を図に示すものである。
【００１９】
図２の室内ユニット奥行方向断面状実寸大の最外郭形状型紙９おいて、運転停止時の本体外郭の断面に相当する部分を太いライン１０で示す。運転動作する風向変更用上下羽根２の最外形軌跡ラインは２ａで表され、ライン２ａ内が風向変更用上下羽根２の可動範囲１１である。
【００２０】
また、型紙９の上部の突起形状１２は室内ユニット上方の天井面との最低必要サ−ビス作業スペ−ス量で、突起形状１２の縦寸法が室内ユニット本体と天井面との最低必要サービス作業スペース量を示すもので、和室の場合の回り縁を避けるための段差１２ａを設けている。
【００２１】
さらに、型紙９には、据付板上端面位置１３や配管穴中心位置１４を明示している。
【００２２】
以上のように構成された室内ユニットの奥行方向断面状の最外郭形状型紙９について、以下その動作、作用を説明する。
【００２３】
まず、図３のように従来の型紙５で壁面の据え付け位置が概ね決められた状態で、型紙５中に記載された室内ユニット正面投影実寸大の室内ユニット６の上端面または同記載の据付板７上端面位置に合わせて、本願発明の型紙９を室内ユニット上端面または据付板上端面位置を合わせて壁面に垂直にあてがうことにより、カーテンボックス３などが本願発明にかかる型紙９の風向変更用上下羽根の可動範囲１１の形状部に接触するか否かを確認することにより従来型紙５で設定した据え付け位置で支障の有無を容易に確認でき、且つ適確な据え付け位置決定ができる。
【００２４】
また同様に、図４のように実際の据付板７上端面を基準に本願発明の型紙９をあてがうことでもカーテンボックス３などが障害物となっていないか、据え付け位置かどうかを確認できる。
【００２５】
さらに図５のように、既存の配管穴８を流用しての室内ユニットの据え付けが可能かの確認も配管穴中心基準１４で型紙９をあてがうだけで確認を容易に、且つ適確据え付け位置決定ができる。
【００２６】
図６のように、一見して天井面とカーテンボックスとの間が狭い場所に据え付けたい場合にも型紙９を天井面に沿わせ、且つ壁面に直角にあてがうことにより、同様の確認ができる。
【産業上の利用可能性】
【００２７】
以上のように本発明の据付装置は、室内ユニットの奥行方向断面状実寸大の最外郭形状型紙であって、風向変更用上下羽根の可動軌跡を含み型紙としているため、従来の平面的な室内ユニット据え付け位置決定方法では見極め難かった壁面より離れた位置にある室内ユニットの風向変更用上下羽根の動作可動時においても障害物（例えば、カ−テンボックス）に接触干渉しないかを容易に確認できるので、周囲の構造物への干渉を考慮しながら壁面に据付ける、換気扇、温風器、空気清浄機等の据付装置にも適用できる。
【図面の簡単な説明】
【００２８】
【図１】室内ユニットの据え付け状態概略斜視図
【図２】本願発明にかかる室内ユニットの奥行方向断面状実寸大の最外郭形状型紙図
【図３】本願発明にかかる型紙の従来型紙と併用使用状態図
【図４】本願発明にかかる型紙の据付板上端面位置基準での使用状態図
【図５】本願発明にかかる型紙の既存配管穴中心基準での使用状態図
【図６】本願発明にかかる型紙の天井基準での使用状態図
【図７】従来例の正面投影実寸大の室内ユニット据付型紙使用状態図
【符号の説明】
【００２９】
１  分離型空気調和機の室内ユニット
２  風向変更用上下羽根
３  カ−テンボックス
４  カ−テン
５  従来の正面投影実寸大の室内ユニット型紙
６  型紙内表示の本体正面投影外郭
７  型紙内表示の据付板
８  既存の配管穴
９  室内ユニット奥行方向断面状の最外郭形状型紙
１０  型紙内表示の室内ユニット奥行方向断面状の最外郭形状
１１  型紙内表示風向変更用上下羽根運転時の回動軌跡含む外郭ライン
１２  最低必要サ−ビス作業スペ−ス量突起部
１２ａ回り縁を避けるための段差
１３  型紙内表示の室内ユニット取付け用据付板上端面位置
１４  型紙内表示の配管穴中心位置
【図１】
2008190750.tif 000003
【図２】
2008190750.tif 000004
【図３】
2008190750.tif 000005
【図４】
2008190750.tif 000006
【図５】
2008190750.tif 000007
【図６】
2008190750.tif 000008
【図７】
2008190750.tif 000009